(57)【要約】【課題】電子機器を設置可能とするとともに、使用時の安全性が高く、執務者の使い勝手を良好とするカート装置を提供する。【解決手段】カート装置１は、床面Ｆ上を走行可能とされたベース部１１と、ベース部１１から立設された支持基体２１と、支持基体２１に支持された天板３１と、天板３１の後方に設けられ、支持基体２１又は天板３１に支持された操作ハンドル部４１と、支持基体２１、天板３１又は操作ハンドル部４１に設けられるとともに、電子機器Ｅを支持する電子機器支持部５１とを備え、電子機器支持部５１は、平面視して、天板３１の後方であって操作ハンドル部４１より前方且つ操作ハンドル部４１の左右方向内方に設けられていることを特徴とする。【選択図】図１
2013017706.tif 000002
【特許請求の範囲】
【請求項１】
床面上を走行可能とされたベース部と、
該ベース部から立設された支持基体と、
該支持基体に支持された天板と、
該天板の後方に設けられ、前記支持基体又は前記天板に支持された操作ハンドル部と、
前記支持基体、前記天板又は前記操作ハンドル部から上方に向かって設けられるとともに、電子機器を支持する電子機器支持部とを備え、
該電子機器支持部は、平面視して、前記天板の後方であって前記操作ハンドル部より前方且つ前記操作ハンドル部の左右方向内方に設けられていることを特徴とするカート装置。
【請求項２】
請求項１に記載のカート装置において、
前記電子機器支持部に支持された前記電子機器は、平面視して前記ベース部の後端より前方に配されていることを特徴とするカート装置。
【請求項３】
請求項１又は請求項２に記載のカート装置において、
前記電子機器支持部は、前記支持基体、前記天板又は前記操作ハンドル部に対する固定手段として、前記支持基体、前記天板又は前記操作ハンドル部への挟持部を備えていることを特徴とするカート装置。
【請求項４】
請求項１乃至請求項３のいずれか一項に記載のカート装置において、
前記操作ハンドル部は、前記支持基体又は前記天板から後方に突設する一対のハンドル取付部と、該ハンドル取付部を連結する把持部とを備え、
前記天板の後端、前記一対のハンドル取付部及び前記把持部により形成される後部空間を備えていることを特徴とするカート装置。
【請求項５】
請求項４に記載のカート装置において、
前記電子機器は、前記後部空間内において、姿勢を変更可能として前記電子機器支持部に支持されていることを特徴とするカート装置。
【発明の詳細な説明】
【技術分野】
【０００１】
本発明は、カート装置に関するものである。
【背景技術】
【０００２】
従来、オフィス、病院、公共施設等における執務空間においては、執務空間内の様々な場所に移動しながら電子機器を用いて執務を行う場合がある。この場合、カート装置の天板上に電子機器を載置し、執務者がカート装置と共に移動し、随時必要に応じた場所にて執務が行われていた。
【０００３】
下記特許文献１に記載の作業台（カート装置と称する。以下同じ。）では、第１の天板の上方に設けられた第２の天板に電子機器を載置することができる。また、第２の天板は、第１の天板を外方から挟持するようにして固定されている。
【先行技術文献】
【特許文献】
【０００４】
【特許文献１】特開２００８−１４２２７８号公報
【発明の概要】
【発明が解決しようとする課題】
【０００５】
しかしながら、前述のカート装置では、天板上に電子機器を載置するため、天板上に他の物品を載置するスペースが減少し、作業スペースが減少するという問題点があった。
さらに、カート装置が病院等で用いられる際には、天板上に薬品等の液体を置くことが想定される。その際、天板上に直接電子機器を載置する場合には、液体がこぼれてしまうと該電子機器に薬品がかかって電子機器が壊れてしまうという問題点があった。また、カート装置を移動すると、天板上に載置した物品が電子機器と衝突して、電子機器が壊れてしまうという問題点もあった。
【０００６】
さらに、前述のカート装置では、第２の天板は、第１の天板を外方から挟持して固定されているが、固定箇所が第一の天板の外側にあるため、限られた空間内で執務する際には邪魔になるという問題点があった。
【０００７】
本発明は、上記事情に鑑みてなされたものであり、電子機器を設置可能とするとともに、使用時の安全性が高く、執務者の使い勝手を良好とするカート装置を提供するものである。
【課題を解決するための手段】
【０００８】
上記目的を達成するために、本発明は以下の手段を採用している。
すなわち、本発明に係るカート装置は、床面上を走行可能とされたベース部と、該ベース部から立設された支持基体と、該支持基体に支持された天板と、該天板の後方に設けられ、前記支持基体又は前記天板に支持された操作ハンドル部と、前記支持基体、前記天板又は前記操作ハンドル部から上方に向かって設けられるとともに、電子機器を支持する電子機器支持部とを備え、該電子機器支持部は、平面視して、前記天板の後方であって前記操作ハンドル部より前方且つ前記操作ハンドル部の左右方向内方に設けられていることを特徴とする。
【０００９】
この構成では、電子機器支持部は、平面視して、天板及び操作ハンドル部で囲まれた空間内に配される。よって、電子機器支持部は、カート装置の外縁から突出することがない。したがって、カート装置を移動させた場合でも、電子機器支持部と人及び物が衝突することがないため、電子機器支持部により人が怪我をしたり、物が破損したり虞がなく、使用時の安全性を高めることができる。
また、執務者は天板の略全面と電子機器を同時に使用することができるため、カート装置の使い勝手を良好とすることができる。
【００１０】
また、本発明に係るカート装置は、前記電子機器支持部に支持された前記電子機器は、平面視して前記ベース部の後端より前方に配されていることを特徴とする。
【００１１】
この構成では、電子機器支持部に支持された電子機器は、平面視して、ベース部後端より前方に配されているため、カート装置を移動させて壁等に衝突した際でも、ベース部が壁に当たるのみで、電子機器が壁に当たることはない。したがって、電子機器が衝突により破損する虞がないため、使用時の安全性を高めることができる。
【００１２】
また、本発明に係るカート装置は、前記電子機器支持部は、前記支持基体、前記天板又は前記操作ハンドル部に対する固定手段として、前記支持基体、前記天板又は前記操作ハンドル部への挟持部を備えていることを特徴とする。
【００１３】
この構成では、電子機器支持部に設けられた挟持部を支持基体、天板又は操作ハンドル部に対して固定すればいいので、簡易な構造で電子機器をカート装置に取り付けることができる。また、電子機器を使用しない時は、挟持部を取り外せばよいので、体裁よくカート装置を納めることができる。
【００１４】
また、本発明に係るカート装置は、前記操作ハンドル部は、前記支持基体又は前記天板から後方に突設する一対のハンドル取付部と、該ハンドル取付部を連結する把持部とを備え、前記天板の後端、前記一対のハンドル取付部及び前記把持部により形成される後部空間を備えていることを特徴とする。
【００１５】
この構成では、天板の後端、一対のハンドル取付部及び把持部により後部空間が形成され、該後部空間に電子機器支持部が配されている。したがって、カート装置を移動させた場合でも、電子機器支持部は、天板、一対のハンドル取付部及び把持部に囲まれており、人及び物と直接衝突することがないため、電子機器が破損する虞がなく、使用時の安全性を高めることができる。
【００１６】
また、本発明に係るカート装置は、前記電子機器は、前記後部空間内において、姿勢を変更可能として前記電子機器支持部に支持されていることを特徴とする。
【００１７】
この構成では、電子機器の姿勢を変更させた場合でも、該電子機器は後部空間の内部に収容される。したがって、電子機器の姿勢を変更してカート装置を移動させた場合でも、電子機器は、天板、一対のハンドル取付部及び把持部に囲まれており、人及び物と直接衝突することがないため、使用時の安全性を高めることができる。
【発明の効果】
【００１８】
本発明に係るカート装置によれば、電子機器を設置可能とするとともに、執務時の安全性に優れ、執務者の使い勝手を良好とすることができる。
【図面の簡単な説明】
【００１９】
【図１】本発明の第一実施形態に係るカート装置の側面図である。
【図２】本発明の第一実施形態に係るカート装置の平面図である。
【図３】本発明の第一実施形態に係るカート装置の正面図である。
【図４】（ａ）、（ｂ）本発明の第一実施形態に係るカート装置の電子機器支持部の構成を説明する図である。
【図５】本発明の第二実施形態に係るカート装置の平面図である。
【図６】本発明の第三実施形態に係るカート装置の平面図である。
【図７】本発明の第四実施形態に係るカート装置の平面図である。
【図８】本発明の第五実施形態に係るカート装置の側面図である。
【図９】本発明の第六実施形態に係るカート装置の平面図である。
【図１０】本発明の第六実施形態に係るカート装置の電子機器支持部の拡大断面図である。
【発明を実施するための形態】
【００２０】
（第一実施形態）
以下、本発明の第一実施形態について、図面を参照して説明する。
【００２１】
図１に示すように、本実施形態に係るカート装置１は、床面Ｆ上を走行可能とされたベース部１１と、ベース部１１から立設された支持基体２１と、支持基体２１に支持された天板３１と、天板３１の後方に設けられた操作ハンドル部４１と、天板３１に設けられるとともに、電子機器Ｅを支持する電子機器支持部５１と、天板３１及び操作ハンドル部４１により形成される図２に示す後部空間６１とを備えている。
執務者は、電子機器支持部５１に支持された電子機器Ｅを使用可能であるとともに、操作ハンドル部４１を把持して操作力を与えることで、床面Ｆ上でカート装置１を移動させることが可能となっている。
ここで、執務者が操作ハンドル部４１と対向するように位置して操作ハンドル部４１を押し引きする方向となる図１の紙面左右方向をカート装置１の前後方向とし、操作ハンドル部４１を押す側となる紙面右側をカート装置１の「前側」、操作ハンドル部４１を引く側となる紙面左側をカート装置１の「後側」と称する。また、平面視して前後方向と直交する方向となる図２の紙面上下方向をカート装置１の左右方向とし、紙面下側をカート装置１の「右側」、紙面上側をカート装置１の「左側」と称する。
以下、各構成の詳細を説明する。
【００２２】
図１及び２に示すように、ベース部１１は、床面Ｆ上を走行可能な複数のキャスター１１１と、該キャスター１１１が設けられた脚杆１１２、１１３とを備える。
脚杆１１２、１１３は、支持基体２１の下端より、前方及び後方であって、それぞれ左右方向に延びる４本の脚杆１１２、１１３より構成される。
キャスター１１１は、各脚杆１１２、１１３の先端部の下面に、床面Ｆに直交する垂直軸周りに旋回可能に設けられている。
【００２３】
支持基体２１は、ベース部１１から上下方向に立設されるとともに筒状の外側支柱１２１と、該外側支柱１２１の内部に挿入されている内側支柱１２２とを備える。
外側支柱１２１は、ベース部１１の前後方向の略中央よりも後方よりであって、左右方向の略中央に設けられている。
内側支柱１２２は、外側支柱１２１に対して上下方向に進退可能に設けられている。また、内側支柱１２２の内部には図示しないガススプリングが設けられており、天板３１の下面に設けられた操作レバー１３１を操作することによりガススプリングの上下方向の高さを伸縮させる。これにより、内側支柱１２２は外側支柱１２１に対して相対的に上下方向に移動するとともに、天板３１の高さを昇降可能としている。
なお、本実施形態では、支持基体２１は伸縮する構造となっているが、一定の高さに固定された構成であってもよい。
【００２４】
天板３１は、上面が床面と平行な状態となるとともに略矩形状に形成され、支持基体２１に支持されている。そして、上面は薬品等の物品が載置可能であり、又はカルテ等の記載が可能な作業台として使用することができる。
【００２５】
操作ハンドル部４１は、天板３１の後部であって、左右両側から後方に突設された一対のハンドル取付部１４１を介して、天板３１に取り付けられている。
【００２６】
図１及び図３に示すように、電子機器支持部５１は、天板３１の後部であって、左右方向の略中央に設けられた天板延設部１５１と、該天板延設部１５１の後部から上方に立設された支持軸１５２と、該支持軸１５２の上部に設けられた第一ヒンジ部１５３と、支持軸１５２の下部に設けられた第二ヒンジ部１５４と、電子機器Ｅを取り付ける電子機器取付部１５５とを備える。
【００２７】
天板延設部１５１は、支持軸１５２の下端から下方に延びて、当該下端から天板３１の下面に沿って前方へ延設されている。また、天板延設部１５１は、ビス等により天板３１に固定されている。
【００２８】
支持軸１５２は、天板延設部１５１の後部より上方に立設されるとともに、上部には電子機器取付部１５５が設けられている。
【００２９】
図４（ａ）に示すように、第一ヒンジ部１５３は、支持軸１５２の上部に設けられるとともに、左右方向に沿う軸Ｐを中心に電子機器Ｅを公知の支持構造によって回動可能としている。よって、左右方向に沿う軸Ｐを中心に電子機器Ｅを回動させると、電子機器Ｅの表面Ｔを上方に向ける位置Ｇの状態とすることができる。
また、図１に示すように、第一ヒンジ部１５３により、電子機器Ｅの表面Ｔを上方に向けた状態で、平面視して、電子機器Ｅは脚杆１１３に設けられたキャスター１１１の後端部よりも前方に配されている。
【００３０】
図４（ａ）、（ｂ）に示すように、第二ヒンジ部１５４は、支持軸１５２の下部に設けられるとともに、左右方向に沿う軸Ｒ及び上下方向に沿う軸Ｑを中心に電子機器Ｅを公知の支持構造によって回動可能としている。よって、左右方向に沿う軸Ｒを中心に電子機器Ｅを回動させると、電子機器Ｅの表面Ｔを上方に向ける位置Ｉの状態とすることができる。また、上下方向に沿う軸Ｑを中心に電子機器Ｅを回動させると、電子機器Ｅの表面Ｔを前方に向ける位置Ｈの状態とすることができる。また、第二ヒンジ部１５４は軸Ｒ及び軸Ｑの二軸を中心に電子機器Ｅを回動可能としてるため、電子機器Ｅを斜めに配置することが可能となり、平面視における電子機器Ｅの配置の自由度を高めることができる。
【００３１】
電子機器取付部１５５は、支持軸１５２の上部に設けられるとともに、電子機器Ｅの裏面Ｂを着脱可能に支持している
【００３２】
図２に示すように、後部空間６１は、天板３１の後端、一対のハンドル取付部１４１及び操作ハンドル部４１により形成された、平面視して略矩形状の空間である。ここで、支持軸１５２は、後部空間６１の内部に配されている。
【００３３】
このように構成されたカート装置１では、電子機器支持部５１は、平面視して、天板３１、操作ハンドル部４１及び一対のハンドル取付部１４１で囲まれた後部空間６１の内部に配される。よって、電子機器支持部５１はカート装置１の外縁から突出することがない。したがって、カート装置１を移動させた場合でも、電子機器支持部５１と人及び物が衝突することがないため、電子機器支持部５１により人が怪我をしたり、物が破損したり虞がなく、使用時の安全性を高めることができる。
また、電子機器支持部５１に支持された電子機器Ｅは、平面視して、脚杆１１３に設けられたキャスター１１１の後端部よりも前方に配されているため、カート装置１を移動させて壁等に衝突した際でも、キャスター１１１が壁に当たるのみで、電子機器Ｅが壁に当たることはない。したがって、電子機器Ｅが衝突により破損する虞がないため、使用時の安全性を高めることができる。
また、電子機器支持部５１の第一ヒンジ部１５３により、電子機器Ｅの表面Ｔを上方に向けるまで位置Ｇに回動させた場合でも、電子機器Ｅが後部空間６１の内部に配される。したがって、カート装置１を移動させた場合でも、電子機器Ｅと人及び物が衝突することがないため、電子機器Ｅが破損する虞がなく、使用時の安全性を高めることができる。
さらに、天板３１の上に載置した薬品等の液体がこぼれた場合でも、電子機器Ｅは電子機器支持部５１により天板３１の上方に設けられているため、電子機器Ｅに液体がかかる虞がなく、使用時の安全性を高めることができる。
【００３４】
また、電子機器Ｅは、電子機器支持部５１により、天板３１の上方に設けられている。よって、天板３１の全面と電子機器Ｅを同時に使用することができ、電子機器Ｅの表面Ｔ（画面）を見ながら、天板３１上で別の作業をすることができる。ここで、電子機器Ｅは第一ヒンジ部１５３により回動可能である。よって、例えば、執務者がカート装置１の後方に立ち電子機器Ｅの表面を後方に向けた位置の状態、又はカート装置１の前方に立ち電子機器Ｅの表面を前方に向けた位置Ｈの状態で、執務をすることができる。したがって、執務者にとっての使い勝手を良好とすることができる。
【００３５】
また、電子機器取付部１５５は電子機器Ｅを着脱可能に支持しているので、電子機器Ｅを使用しない場合は、電子機器Ｅを電子機器取付部１５５から取り外すことができる。よって、電子機器Ｅを使用しない場合は、電子機器Ｅを電子機器取付部１５５から取り外すとともに、第二ヒンジ部１５４は、支持軸１５２を天板３１の上面に沿わせる位置Ｉの状態まで回動させることができる。したがって、体裁よく電子機器支持部５１を天板３１の上方に納めることができる。
【００３６】
（第二実施形態）
以下、本発明の第二実施形態に係るカート装置１Ｓについて説明する。
この実施形態において、前述した実施形態で用いた部材と共通の部材には同一の符号を付して、その説明を省略する。
【００３７】
第一実施形態では、電子機器支持部５１は天板３１に設けられていた。一方、本実施形態においては、図５に示すように、電子機器支持部５１Ｓは、操作ハンドル部４１の一対のハンドル取付部１４１を左右方向に連結する連結部１５１Ｓに設けられている。
連結部１５１Ｓは、一対のハンドル取付部１４１の中途部分を、左右方向に互いに連結している。
【００３８】
このように構成されたカート装置１Ｓでは、執務時に、天板３１と電子機器Ｅを上下方向及び前後後方において確実に離隔させて使用することができるので、天板３１上に載置した薬品等の液体がこぼれた場合であっても、電子機器Ｅに液体がかかる虞がなく、使用時の安全性を高めることができる。
【００３９】
（第三実施形態）
以下、本発明の第三実施形態に係るカート装置１Ｔについて説明する。
この実施形態において、前述した実施形態で用いた部材と共通の部材には同一の符号を付して、その説明を省略する。
【００４０】
第一実施形態では、電子機器支持部５１は天板３１に設けられていた。一方、本実施形態においては、図６に示すように、電子機器支持部５１Ｔは、操作ハンドル部４１から延設されたハンドル延設部１５１Ｔに設けられている。
ハンドル延設部１５１Ｔは、操作ハンドル部４１の左右方向の略中央から前方に向かって延設されるとともに、操作ハンドル部４１とビス等により固定されている。ここで、ハンドル延設部１５１Ｔの前部は、平面視して、操作ハンドル部４１より前方であって、天板３１より後方の位置に設けられている。
【００４１】
このように構成されたカート装置１Ｔでは、執務時に、天板３１と電子機器Ｅを上下方向及び前後後方において確実に離隔させて使用することができるので、天板３１上に載置した薬品等の液体がこぼれた場合であっても、電子機器Ｅに液体がかかる虞がなく、使用時の安全性を高めることができる。
【００４２】
（第四実施形態）
以下、本発明の第四実施形態に係るカート装置１Ｕについて説明する。
この実施形態において、前述した実施形態で用いた部材と共通の部材には同一の符号を付して、その説明を省略する。
【００４３】
第一実施形態では、電子機器支持部５１は天板３１に設けられていた。一方、本実施形態においては、図７に示すように、電子機器支持部５１Ｕは、操作ハンドル部４１Ｕに設けられたハンドル突設部１４１Ｕに設けられている。
操作ハンドル部４１Ｕは、天板３１の後部の左右方向の略中央から後方に突設するハンドル突設部１４１Ｕを介して天板３１と固定されている。また、操作ハンドル部４１Ｕの左右方向の長さは、天板３１の左右方向の長さと略同一である。
電子機器支持部５１Ｕのハンドル固定部１５１Ｕは、ハンドル突設部１４１Ｕに設けられ、該ハンドル突設部１４１Ｕとビス等により固定されている。
【００４４】
また、第一実施形態では、後部空間６１は、天板３１の後端、操作ハンドル部４１及び一対のハンドル取付部１４１により形成された、平面視して略矩形状の空間であった。一方、本実施形態では、後部空間６１Ｕは、平面視して天板３１の後端と操作ハンドル部４１との間に形成された空間である。
【００４５】
このように構成されたカート装置１Ｕでは、執務時に、天板３１と電子機器Ｅを上下方向及び前後後方において確実に離隔させて使用することができるので、天板３１上に載置した薬品等の液体がこぼれた場合であっても、電子機器Ｅに液体がかかる虞がなく、使用時の安全性を高めることができる。
【００４６】
（第五実施形態）
以下、本発明の第五実施形態に係るカート装置１Ｖについて説明する。
この実施形態において、前述した実施形態で用いた部材と共通の部材には同一の符号を付して、その説明を省略する。
【００４７】
第一実施形態では、操作ハンドル部４１は天板３１に設けられていた。一方、本実施形態においては、図８に示すように、操作ハンドル部４１Ｖは、支持基体２１に設けられている。
操作ハンドル部４１Ｖは、外側支柱１２１の後部から後方に突設されたハンドル突設部１４１Ｖを介して、支持基体２１に設けられている。
ハンドル突設部１４１Ｖは、外側支柱１２１の後部から略水平状態で後方に向かう第一ハンドル突設部１４３Ｖと、該第一ハンドル突設部１４３Ｖの後部より後方に向かうにしたがい上方に形成された第二ハンドル突設部１４４Ｖとを備える。
操作ハンドル部４１Ｖは、第二ハンドル突設部１４４Ｖの後部に設けられ、該第二ハンドル突設部１４４Ｖを中心として左右方向に延設されている。また、操作ハンドル部４１Ｖの左右方向の長さは、天板３１の左右方向の長さと略同一である。
【００４８】
また、第一実施形態では、後部空間６１は、天板３１の後端、操作ハンドル部４１及び一対のハンドル取付部１４１により形成された、平面視して略矩形状の空間であった。一方、本実施形態では、後部空間６１Ｖは、平面視して天板３１の後端と操作ハンドル部４１との間に形成された空間である。
【００４９】
このように構成されたカート装置１Ｖでは、執務時に、天板３１と電子機器Ｅを上下方向及び前後後方において確実に離隔させて使用することができるとともに、支持基体２１を上下方向に移動して天板３１の高さを昇降した場合でも、操作ハンドル部４１Ｖの高さは一定としてカート装置１Ｖを移動させることができる。
【００５０】
（第六実施形態）
以下、本発明の第六実施形態に係るカート装置１Ｗについて説明する。
この実施形態において、前述した実施形態で用いた部材と共通の部材には同一の符号を付して、その説明を省略する。
【００５１】
第一実施形態では、電子機器支持部５１は、天板延設部１５１により天板３１に固定されていた。一方、本実施形態においては、図９及び図１０に示すように、電子機器支持部５１Ｗは、挟持部１５６Ｗ及び締付手段１５１Ｗにより天板３１に固定されている。
挟持部１５６Ｗは、側面視して略コの字状に形成され、天板３１の後端を上下方向に挟持している。
締付手段１５１Ｗは、下方側の挟持部１５６Ｗの下面から天板３１に対して、上向きの力を加えることにより、挟持部１５６Ｗで上下方向から天板３１を締め付けて固定している。また、締付手段１５１Ｗは、ネジ孔１５７Ｗを貫通するネジ１５８Ｗと、該ネジ１５８Ｗの先端に設けられたネジ受け１５９Ｗとを備える。
ネジ１５８Ｗは、下方側の挟持部１５６Ｗを上下方向に貫通するネジ孔１５７Ｗの内部に下方から挿入されるとともに、該上端はネジ受け１５９Ｗに当接している。
ネジ受け１５９Ｗは、天板３１の下面に面して設けられるとともに、ネジ１５８Ｗにより上向きの力が加えられている。
一方、締付手段１５１Ｗによる締め付けを解除する場合には、ネジ１５８Ｗを回して、ネジ受け１５９Ｗに対して上向きの力を加えないようにすればよい。
【００５２】
このように構成されたカート装置１Ｗでは、電子機器支持部５１Ｗは、天板３１に対して固定すればよいので、簡易な構造で電子機器Ｅをカート装置１Ｗに取り付けることができる。また、電子機器Ｅを使用しない時は、締付手段１５１Ｗによる締め付けを解除することにより、挟持部１５６Ｗを天板３１から取り外せばよいので、体裁よくカート装置１Ｗを納めることができる。
なお、本実施形態では、挟持部１５６Ｗは、天板３１を挟持する構成としているが、天板３１に限られず、支持基体２１又は操作ハンドル部４１を挟持する構成としてもよい。
【００５３】
なお、上述の実施の形態以外にも、電子機器支持部５１は、支持基体２１に設けられていてもよい。
また、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００５４】
１、１Ｓ、1Ｔ、１Ｕ、1Ｖ、1Ｗ…カート装置
１１…ベース部
２１…支持基体
３１…天板
４１、４１Ｕ、４１Ｖ…操作ハンドル部
５１、５１Ｓ、５１Ｔ、５１Ｕ、５１Ｗ…電子機器支持部
６１、６１Ｕ、６１Ｖ…後部空間
１５６Ｗ…挟持部
Ｅ…電子機器
Ｆ…床面
【図１】
2013017706.tif 000003
【図２】
2013017706.tif 000004
【図３】
2013017706.tif 000005
【図４】
2013017706.tif 000006
【図５】
2013017706.tif 000007
【図６】
2013017706.tif 000008
【図７】
2013017706.tif 000009
【図８】
2013017706.tif 000010
【図９】
2013017706.tif 000011
【図１０】
2013017706.tif 000012